(57)【要約】【課題】動作させる電源ユニットの数を容易に変更できる充電器を提供する。【解決手段】第１の終端抵抗Ｒ１及び第１のコネクタＣ１を含む制御ユニット１１と、第２の終端抵抗Ｒ２及び第２のコネクタＣ２を夫々含む複数の電源ユニット１２と、第１のコネクタＣ１に接続可能な第３のコネクタＣ３であって、接続された制御ユニット１１に含まれる第１の終端抵抗Ｒ１を通信ハーネス１３に接続する第３のコネクタＣ３と、複数の電源ユニット１２の数よりも１つ少ない第４のコネクタＣ４であって、複数の電源ユニット１２の内の任意の電源ユニット１２に接続可能な第４のコネクタＣ４と、複数の電源ユニット１２の内の任意の電源ユニット１２に接続可能な第５のコネクタＣ５であって、接続された電源ユニット１２に含まれる第２の終端抵抗Ｒ２を通信ハーネス１３に接続する第５のコネクタＣ５とを含む通信ハーネス１３とを備えて充電器１を構成する。【選択図】図１
2018107881.tif 000002
【特許請求の範囲】
【請求項１】
第１の終端抵抗及び第１のコネクタを含む制御ユニットと、
第２の終端抵抗及び第２のコネクタを夫々含む複数の電源ユニットと、
前記第１のコネクタに接続可能な第３のコネクタであって、接続された前記制御ユニットに含まれる前記第１の終端抵抗を通信ハーネスに接続する前記第３のコネクタと、前記複数の電源ユニットの数よりも１つ少ない第４のコネクタであって、前記複数の電源ユニットの内の任意の電源ユニットに接続可能な前記第４のコネクタと、前記複数の電源ユニットの内の任意の電源ユニットに接続可能な第５のコネクタであって、接続された電源ユニットに含まれる前記第２の終端抵抗を前記通信ハーネスに接続する前記第５のコネクタとを含む通信ハーネスと
を含む、充電器。
【請求項２】
請求項１に記載の充電器であって、
前記制御ユニットは、第１の高電位通信線の一端と第１の低電位通信線の一端とに接続する第１の通信回路を更に含み、
前記第１の終端抵抗は、前記第１の高電位通信線に一端が接続し、前記第１の低電位通信線に他端が接続し、
前記第１のコネクタは、前記第１の高電位通信線の他端に接続する第１のコネクタピンと、前記第１の低電位通信線の他端に接続する第２のコネクタピンとを収容し、
前記複数の電源ユニットは、第２の高電位通信線の一端と第２の低電位通信線の一端とに接続する第２の通信回路を夫々更に含み、
前記第２の終端抵抗は、第３の高電位通信線の一端に一端が接続し、第３の低電位通信線の一端に他端が接続し、
前記第２のコネクタは、前記第２の高電位通信線の他端に接続する第３のコネクタピンと、前記第２の低電位通信線の他端に接続する第４のコネクタピンと、前記第３の高電位通信線の他端に接続する第５のコネクタピンと、前記第３の低電位通信線の他端に接続する第６のコネクタピンとを収容し、
前記第３のコネクタは、第４の高電位通信線の一端に接続し、前記第１のコネクタピンに接続可能な第７のコネクタピンと、第４の低電位通信線の一端に接続し、前記第２のコネクタピンに接続可能な第８のコネクタピンとを収容し、
前記第４のコネクタは、第５の高電位通信線の一端と前記第４の高電位通信線の他端又は別の前記第５の高電位通信線の他端とを接続し、前記第３のコネクタピンに接続可能な第９のコネクタピンと、第５の低電位通信線の一端と前記第４の低電位通信線の他端又は別の前記第５の低電位通信線の他端とを接続し、前記第４のコネクタピンに接続可能な第１０のコネクタピンとを夫々収容し、
前記第５のコネクタは、第６の高電位通信線の一端と前記第５の高電位通信線の他端とを接続し、前記第３のコネクタピンに接続可能な第１１のコネクタピンと、第６の低電位通信線の一端と前記第５の低電位通信線の他端とを接続し、前記第４のコネクタピンに接続可能な第１２のコネクタピンと、前記第６の高電位通信線の他端に接続し、前記第５のコネクタピンに接続可能な第１３のコネクタピンと、前記第６の低電位通信線の他端に接続し、前記第６のコネクタピンに接続可能な第１４のコネクタピンとを収容する
充電器。
【請求項３】
請求項１又は２に記載の充電器であって、
任意の前記第４のコネクタが任意の前記第２のコネクタから外される
充電器。
【発明の詳細な説明】
【技術分野】
【０００１】
本発明は、充電器に関する。
【背景技術】
【０００２】
従来、次のような構成を有する充電器が存在する。すなわち、該充電器は、外部の交流電源から供給された交流電力を直流電力に変換する複数の電源ユニットと、該複数の電源ユニットの動作を制御する制御ユニットとを含む。制御ユニット及び各電源ユニットは、通信線によってデイジーチェーンで接続される。通信線の終端において信号が反射することを防止するための終端抵抗は、通信線の一端に接続される制御ユニットと、通信線の他端に接続される電源ユニットとに夫々設けられる。
【０００３】
なお、関連する技術として特許文献１及び２に記載の技術が知られている。
【先行技術文献】
【特許文献】
【０００４】
【特許文献１】特開２００２−２６０７４７号公報
【特許文献２】特開２０１４−１４１１４０号公報
【発明の概要】
【発明が解決しようとする課題】
【０００５】
例えば、交流電源の電源容量が全ての電源ユニットを動作させるために必要な電力を下回る場合には、複数の電源ユニットの内の一部の電源ユニットが動作しないように、一部の電源ユニットを通信線から外すことが要望される。しかしながら、制御ユニット及び各電源ユニットは通信線によりデイジーチェーンで接続されている。このため、通信線の途中に接続された電源ユニットが通信線から外されると、外された箇所において通信線が分断される不都合が生じる。また、通信線の終端に接続されている電源ユニットが通信線から外されると、通信線が終端抵抗により終端されない不都合が生じる。そこで、通信線と電源ユニットとを接続する通信ハーネスは、動作させる電源ユニット数の変更に応じて用意する必要が生じる。
【０００６】
本発明の一側面に係る目的は、動作させる電源ユニットの数を容易に変更できる充電器を提供することである。
【課題を解決するための手段】
【０００７】
本発明に係る一つの形態である充電器は、制御ユニット、複数の電源ユニット、及び通信ハーネスを含む。制御ユニットは第１の終端抵抗及び第１のコネクタを含む。複数の電源ユニットは第２の終端抵抗及び第２のコネクタを夫々含む。通信ハーネスは、第３のコネクタ、第４のコネクタ、及び第５のコネクタを含む。第３のコネクタは、第１のコネクタに接続可能であり、接続された制御ユニットに含まれる第１の終端抵抗を通信ハーネスに接続する。第４のコネクタの数は、複数の電源ユニットの数よりも１つ少なく、第４のコネクタは、複数の電源ユニットの内の任意の電源ユニットに接続可能である。第５のコネクタは、複数の電源ユニットの内の任意の電源ユニットに接続可能であり、接続された電源ユニットに含まれる第２の終端抵抗を通信ハーネスに接続する。
【発明の効果】
【０００８】
一実施形態に従った充電器によれば、動作させる電源ユニットの数を容易に変更することができる。
【図面の簡単な説明】
【０００９】
【図１】実施形態に従った充電器の構成例を示す図である。
【発明を実施するための形態】
【００１０】
以下図面に基づいて実施形態について詳細を説明する。
図１は、実施形態に従った充電器の構成例を示す図である。図１に示す一例では、充電器１は、制御ユニット１１、複数の電源ユニット１２、及び通信ハーネス１３を含む。なお、図１には、３つの電源ユニット１２が示されているが、実施形態に従った充電器には２つ以上の任意の数の電源ユニットが含まれてもよい。
【００１１】
制御ユニット１１は、例えば、ＣＰＵ（Central Processing Unit）、マルチコアＣＰＵ、又はプログラマブルディバイス（ＦＰＧＡ（Field Programmable Gate Array）やＰＬＤ（Programmable Logic Device）等）により構成される。制御ユニット１１は複数の電源ユニット１２の動作を制御する。
【００１２】
制御ユニット１１は、第１の通信回路Ｃｃ１、第１の終端抵抗Ｒ１、及び第１のコネクタＣ１を含む。
第１の通信回路Ｃｃ１は、制御信号を各電源ユニット１２と送受信するための回路である。第１の通信回路Ｃｃ１は、第１の高電位通信線Ｌｈ１の一端と第１の低電位通信線Ｌｌ１の一端とに接続する。
【００１３】
第１の終端抵抗Ｒ１は、通信ハーネス１３の一端（終端）において、制御ユニット１１と各電源ユニット１２との間で送受信される制御信号の反射を防止するための抵抗である。第１の終端抵抗Ｒ１の一端は第１の高電位通信線Ｌｈ１に接続し、第１の終端抵抗Ｒ１の他端は第１の低電位通信線Ｌｌ１に接続する。
【００１４】
第１のコネクタＣ１は、制御ユニット１１を通信ハーネス１３に接続するためのコネクタである。第１のコネクタＣ１は、第１のコネクタピンＰ１及び第２のコネクタピンＰ２を収容する。第１のコネクタピンＰ１は、第１の高電位通信線Ｌｈ１の他端に接続する。第２のコネクタピンＰ２は第１の低電位通信線Ｌｌ１の他端に接続する。
【００１５】
複数の電源ユニット１２は、外部の交流電源（図示せず）から供給された交流電力を、制御ユニット１１から受信した制御信号に従って直流電力に夫々変換する。複数の電源ユニット１２は、第２の通信回路Ｃｃ２、第２の終端抵抗Ｒ２、及び第２のコネクタＣ２を夫々含む。
【００１６】
第２の通信回路Ｃｃ２は、制御信号を制御ユニット１１と送受信するための回路である。第２の通信回路Ｃｃ２は、第２の高電位通信線Ｌｈ２の一端と第２の低電位通信線Ｌｌ２の一端とに接続する。
【００１７】
第２の終端抵抗Ｒ２は、当該電源ユニット１２が通信ハーネス１３の他端（終端）に接続された場合に、制御ユニット１１と各電源ユニット１２との間で送受信される制御信号の反射を防止するための抵抗である。第２の終端抵抗Ｒ２の一端は第３の高電位通信線Ｌｈ３の一端に接続し、第２の終端抵抗Ｒ２の他端は第３の低電位通信線Ｌｌ３の一端に接続する。
【００１８】
第２のコネクタＣ２は、当該電源ユニット１２を通信ハーネス１３に接続するためのコネクタである。第２のコネクタＣ２は、第３のコネクタピンＰ３、第４のコネクタピンＰ４、第５のコネクタピンＰ５、及び第６のコネクタピンＰ６を収容する。第３のコネクタピンＰ３は第２の高電位通信線Ｌｈ２の他端に接続する。第４のコネクタピンＰ４は第２の低電位通信線Ｌｌ２の他端に接続する。第５のコネクタピンＰ５は第３の高電位通信線Ｌｈ３の他端に接続する。第６のコネクタピンＰ６は第３の低電位通信線Ｌｌ３の他端に接続する。
【００１９】
通信ハーネス１３は、制御ユニット１１と複数の電源ユニット１２の内の少なくとも１つの電源ユニット１２とを接続する通信線アセンブリであり、制御ユニット１１と各電源ユニット１２とをデイジーチェーンで接続する。通信ハーネスは、第３のコネクタＣ３、第４のコネクタＣ４、及び第５のコネクタを含む。なお、デイジーチェーンとは、数珠つなぎ又は直列接続のことである。
【００２０】
第３のコネクタＣ３は、第１のコネクタＣ１に接続可能なコネクタであり、接続された制御ユニット１１に含まれる第１の終端抵抗Ｒ１を通信ハーネス１３に接続する。第３のコネクタＣ３は、第７のコネクタピンＰ７及び第８のコネクタピンＰ８を収容する。
【００２１】
第７のコネクタピンＰ７は、第１のコネクタピンＰ１に接続可能なコネクタピンであり、第４の高電位通信線Ｌｈ４の一端に接続する。第７のコネクタピンＰ７が第１のコネクタピンＰ１に接続されると、第４の高電位通信線Ｌｈ４は第１の高電位通信線Ｌｈ１に接続する。
【００２２】
第８のコネクタピンＰ８は、第２のコネクタピンＰ２に接続可能なコネクタピンであり、第４の低電位通信線Ｌｌ４の一端に接続する。第８のコネクタピンＰ８が第２のコネクタピンＰ２に接続されると、第４の低電位通信線Ｌｌ４は第１の低電位通信線Ｌｌ１に接続する。
【００２３】
第４のコネクタＣ４は、複数の電源ユニット１２の内の任意の電源ユニット１２に含まれる第２のコネクタＣ２に接続可能なコネクタである。第４のコネクタＣ４の数は、充電器１に含まれる複数の電源ユニット１２の数よりも１つ少ない。図１に示した一例では、第４のコネクタＣ４の数は、電源ユニット１２の数（３つ）よりも１つ少ない２つであるが、第４のコネクタＣ４の数は電源ユニット１２の数に合わせて１つ以上であればよい。第４のコネクタＣ４は、第９のコネクタピンＰ９及び第１０のコネクタピンＰ１０を収容する。
【００２４】
第９のコネクタピンＰ９は、第３のコネクタピンＰ３に接続可能なコネクタピンであり、第５の高電位通信線Ｌｈ５の一端と第４の高電位通信線Ｌｈ４の他端又は別の第５の高電位通信線Ｌｈ５の他端とを接続する。別の第５の高電位通信線Ｌｈ５は、別の第４のコネクタＣ４に収容された別の第９のコネクタピンＰ９に一端が接続された第５の高電位通信線Ｌｈ５である。或いは、別の第５の高電位通信線Ｌｈ５は、第５のコネクタＣ５に含まれる第１１のコネクタピンＰ１１に一端が接続された第５の高電位通信線Ｌｈ５である。例えば、第５の高電位通信線Ｌｈ５の一端と第４の高電位通信線Ｌｈ４の他端又は別の第５の高電位通信線Ｌｈ５の他端とは、第９のコネクタピンＰ９に含まれる金属に固定されて、相互に接続されてもよい。第９のコネクタピンＰ９が第３のコネクタピンＰ３に接続されると、第５の高電位通信線Ｌｈ５及び第４の高電位通信線Ｌｈ４、又は第５の高電位通信線Ｌｈ５及び別の第５の高電位通信線Ｌｈ５は、第２の高電位通信線Ｌｈ２に接続する。
【００２５】
第１０のコネクタピンＰ１０は、第４のコネクタピンＰ４に接続可能なコネクタピンであり、第５の低電位通信線Ｌｌ５の一端と第４の低電位通信線Ｌｌ４の他端又は別の第５の低電位通信線Ｌｌ５の他端とを接続する。別の第５の低電位通信線Ｌｌ５は、別の第４のコネクタＣ４に収容された別の第１０のコネクタピンＰ１０に一端が接続された第５の低電位通信線Ｌｌ５である。或いは、別の第５の低電位通信線Ｌｌ５は、第５のコネクタＣ５に含まれる第１２のコネクタピンＰ１２に一端が接続された第５の低電位通信線Ｌｌ５である。例えば、第５の低電位通信線Ｌｌ５の一端と第４の低電位通信線Ｌｌ４の他端又は別の第５の低電位通信線Ｌｌ５の他端とは、第１０のコネクタピンＰ１０に含まれる金属に固定されて、相互に接続されてもよい。第１０のコネクタピンＰ１０が第４のコネクタピンＰ４に接続されると、第５の低電位通信線Ｌｌ５及び第４の低電位通信線Ｌｌ４、又は第５の低電位通信線Ｌｌ５及び別の第５の低電位通信線Ｌｌ５は、第２の低電位通信線Ｌｌ２に接続する。
【００２６】
第５のコネクタＣ５は、複数の電源ユニット１２の内の任意の電源ユニット１２に含まれる第２のコネクタＣ２に接続可能なコネクタである。第５のコネクタＣ５は、通信ハーネス１３の他端（終端）に接続される電源ユニット１２の第２のコネクタＣ２に接続され、接続された電源ユニット１２に含まれる第２の終端抵抗Ｒ２を通信ハーネス１３に接続する。第５のコネクタＣ５は、第１１のコネクタピンＰ１１、第１２のコネクタピンＰ１２、第１３のコネクタピンＰ１３、及び第１４のコネクタピンＰ１４を収容する。
【００２７】
第１１のコネクタピンＰ１１は、第３のコネクタピンＰ３に接続可能なコネクタピンであり、第６の高電位通信線Ｌｈ６の一端と第５の高電位通信線Ｌｈ５の他端とを接続する。例えば、第６の高電位通信線Ｌｈ６の一端と第５の高電位通信線Ｌｈ５の他端とは、第１１のコネクタピンＰ１１に含まれる金属に固定されて、相互に接続されてもよい。第１１のコネクタピンＰ１１が第３のコネクタピンＰ３に接続されると、第６の高電位通信線Ｌｈ６及び第５の高電位通信線Ｌｈ５は第２の高電位通信線Ｌｈ２に接続する。
【００２８】
第１２のコネクタピンＰ１２は、第４のコネクタピンＰ４に接続可能なコネクタピンであり、第６の低電位通信線Ｌｌ６の一端と第５の低電位通信線Ｌｌ５の他端とを接続する。例えば、第６の低電位通信線Ｌｌ６の一端と第５の低電位通信線Ｌｌ５の他端とは、第１２のコネクタピンＰ１２に含まれる金属に固定されて、相互に接続されてもよい。第１２のコネクタピンＰ１２が第４のコネクタピンＰ４に接続されると、第６の低電位通信線Ｌｌ６及び第５の低電位通信線Ｌｌ５は第２の低電位通信線Ｌｌ２に接続する。
【００２９】
第１３のコネクタピンＰ１３は、第５のコネクタピンＰ５に接続可能なコネクタピンであり、第６の高電位通信線Ｌｈ６の他端に接続する。第１３のコネクタピンＰ１３が第５のコネクタピンＰ５に接続されると、第６の高電位通信線Ｌｈ６は第３の高電位通信線Ｌｈ３に接続する。
【００３０】
第１４のコネクタピンＰ１４は、第６のコネクタピンＰ６に接続可能なコネクタピンであり、第６の低電位通信線Ｌｌ６の他端に接続する。第１４のコネクタピンＰ１４が第６のコネクタピンＰ６に接続されると、第６の低電位通信線Ｌｌ６は第３の低電位通信線Ｌｌ３に接続する。
【００３１】
上述したような構成では、各電源ユニット１２は、第２の終端抵抗Ｒ２を夫々含む。このため、複数の電源ユニット１２の内の任意の電源ユニット１２に含まれる第２のコネクタを第５のコネクタＣ５に接続すれば、通信ハーネス１３の他端（終端）に第２の終端抵抗Ｒ２を接続することができる。したがって、実施形態に従った充電器によれば、制御ユニットと複数の電源ユニットとを通信ハーネスによりデイジーチェーンで接続する場合に、電源ユニットの個性を意識せずに、複数の電源ユニットを任意に通信ハーネスに接続でき、接続作業を容易にできる。
【００３２】
また、上述したような構成では、通信ハーネス１３を介して制御ユニット１１に接続される電源ユニット１２の数を減らす場合に、任意の電源ユニット１２を通信ハーネス１３から外すことができる。
【００３３】
例えば、通信ハーネス１３の他端（終端）以外の位置に接続された電源ユニット１２の第２のコネクタＣ２を第４のコネクタＣ４から外した場合を想定する。この場合、第５の高電位通信線Ｌｈ５の一端と第４の高電位通信線Ｌｈ４の他端又は別の第５の高電位通信線Ｌｈ５の他端とは、第９のコネクタピンにおいて接続されている。また、第５の低電位通信線Ｌｌ５の一端と第４の低電位通信線Ｌｌ４の他端又は別の第５の低電位通信線Ｌｌ５の他端とは、第１０のコネクタピンにおいて接続されている。このため、通信ハーネス１３の他端（終端）以外の位置に接続された電源ユニット１２を通信ハーネス１３から外したとしても、該電源ユニット１２の第２のコネクタＣ２から外された第４のコネクタＣ４において通信線が分断されることはない。
【００３４】
また、例えば、通信ハーネス１３の他端（終端）に接続された電源ユニット１２を通信ハーネス１３から外す場合には、該電源ユニット１２以外の任意の電源ユニットの第２のコネクタＣ２を第４のコネクタＣ４から外して、第５のコネクタＣ５に接続し直せばよい。上述したように、任意の第４のコネクタＣ４が第２のコネクタＣ２と未接続の状態であっても、該第４のコネクタＣ４において通信線が分断されることはない。
【００３５】
このように、制御ユニット１１に接続される電源ユニット１２の数を減らす場合に、任意の第４のコネクタＣ４が任意の第２のコネクタＣ２から外されてもよい。したがって、実施形態に従った充電器によれば、動作させる電源ユニット数の変更に応じて通信ハーネスを用意したり、電源ユニットの個性を意識して通信ハーネスを接続し直す必要がなく、動作させる電源ユニットの数を容易に変更することができる。
【００３６】
本発明は、以上の実施の形態に限定されるものでなく、本発明の要旨を逸脱しない範囲内で種々の改良、変更が可能である。
【符号の説明】
【００３７】
１    充電器
１１    制御ユニット
１２    電源ユニット
１３    通信ハーネス
Ｃ１    第１のコネクタ
Ｃ２    第２のコネクタ
Ｃ３    第３のコネクタ
Ｃ４    第４のコネクタ
Ｃ５    第５のコネクタ
Ｃｃ１    第１の通信回路
Ｃｃ２    第２の通信回路
Ｌｈ１    第１の高電位通信線
Ｌｈ２    第２の高電位通信線
Ｌｈ３    第３の高電位通信線
Ｌｈ４    第４の高電位通信線
Ｌｈ５    第５の高電位通信線
Ｌｈ６    第６の高電位通信線
Ｌｌ１    第１の低電位通信線
Ｌｌ２    第２の低電位通信線
Ｌｌ３    第３の低電位通信線
Ｌｌ４    第４の低電位通信線
Ｌｌ５    第５の低電位通信線
Ｌｌ６    第６の低電位通信線
Ｐ１    第１のコネクタピン
Ｐ２    第２のコネクタピン
Ｐ３    第３のコネクタピン
Ｐ４    第４のコネクタピン
Ｐ５    第５のコネクタピン
Ｐ６    第６のコネクタピン
Ｐ７    第７のコネクタピン
Ｐ８    第８のコネクタピン
Ｐ９    第９のコネクタピン
Ｐ１０    第１０のコネクタピン
Ｐ１１    第１１のコネクタピン
Ｐ１２    第１２のコネクタピン
Ｐ１３    第１３のコネクタピン
Ｐ１４    第１４のコネクタピン
Ｒ１    第１の終端抵抗
Ｒ２    第２の終端抵抗
【図１】
2018107881.tif 000003